(57)【要約】【課題】  記録媒体の防塵性に優れ且つ情報記録の大容量化を図るのに適した記録媒体ライブラリ装置を提供する。【解決手段】  本発明の記録媒体ライブラリ装置Ｘ１は、情報記録および／または情報再生の実行時に回転動作を伴う複数の記録媒体１０と、複数の記録媒体１０を格納するための格納器３０と、記録媒体１０について情報記録および／または情報再生を実行するためのドライブ部４０と、格納器３０およびドライブ部４０の間の記録媒体１０の移送を実行するための移送手段５０と、記格納器３０、ドライブ部４０、および移送手段５０を収容するための装置筐体６０と、を備える。格納器３０は、複数の記録媒体１０を保持するための本体部３１と、ドライブ部４０の側に開口して記録媒体１０の出し入れを可能にする当該格納器３０の出入口を開閉するための蓋体部３２とを有する。この蓋体部３２は、装置筐体６０内で出入口を開閉する。【選択図】  図１
2006120296.tif 000002
【特許請求の範囲】
【請求項１】
情報記録および／または情報再生の実行時に回転動作を伴う複数の記録媒体と、
前記複数の記録媒体を格納するための格納器と、
前記記録媒体について情報記録および／または情報再生を実行するためのドライブ部と、
前記格納器および前記ドライブ部の間の前記記録媒体の移送を実行するための移送手段と、
前記格納器、前記ドライブ部、および前記移送手段を収容するための装置筐体と、を備え、
前記格納器は、前記複数の記録媒体を保持するための本体部と、前記ドライブ部の側に開口して前記記録媒体の出し入れを可能にする当該格納器の出入口を開閉するための蓋体部とを有し、
前記蓋体部は、前記装置筐体内で前記出入口を開閉する、記録媒体ライブラリ装置。
【請求項２】
前記複数の記録媒体は、当該記録媒体の厚さ方向に並列し且つ前記移送手段による前記移送のときに当該記録媒体の面内方向に変位して前記出入口を通過するように、前記本体部に保持され、
前記蓋体部は、蓋体部本体および開閉板を有し、当該開閉板は、前記出入口を開閉すべく、前記厚さ方向に配向する閉姿勢と前記面内方向に配向する開姿勢との間で前記蓋体部本体に対して回動可能である、請求項１に記載の記録媒体ライブラリ装置。
【請求項３】
各々が係合用凹部を有する複数のトレーを更に備え、
前記複数の記録媒体の各々は前記トレーに受容された状態で前記格納器に格納され、
前記移送手段は、前記係合用凹部と係合可能な係合用爪部を有し、
前記本体部は、底壁と、当該底壁から起立する側壁とを有し、前記底壁は、前記側壁よりも前記ドライブ部の側に突出する突出部を有し、
前記トレーの係合用凹部は、当該トレーに受容される記録媒体の格納状態において前記突出部上に位置し、
前記蓋体部本体は、前記出入口の閉状態において前記係合用凹部に対向して前記本体部の側方を閉塞するための側壁を有し、前記本体部に対して前記面内方向にスライド可能である、請求項２に記載の記録媒体ライブラリ装置。
【請求項４】
前記本体部は、前記出入口とは反対の側に背壁を有し、
前記トレーは、前記出入口の閉状態において、前記閉姿勢にある前記開閉板と前記背壁との間に挟持される、請求項３に記載の記録媒体ライブラリ装置。
【請求項５】
前記トレーは、前記出入口の側に突出する第１突出部と、前記背壁の側に突出する第２突出部とを更に有し、
前記開閉板は、前記出入口の閉状態において前記第１突出部と当接するための弾性部を有し、
前記背壁は、前記出入口の閉状態において前記第２突出部と当接するための弾性部を有する、請求項４に記載の記録媒体ライブラリ装置。
【請求項６】
前記複数の記録媒体は、当該記録媒体の厚さ方向に並列し且つ前記移送手段による前記移送のときに当該記録媒体の面内方向に変位して前記出入口を通過するように、前記本体部に保持され、
前記蓋体部は、前記本体部に対して前記厚さ方向に相対移動することにより、前記出入口を開閉する、請求項１に記載の記録媒体ライブラリ装置。
【請求項７】
各々が係合用凹部を有する複数のトレーを更に備え、
前記複数の記録媒体の各々は前記トレーに受容された状態で前記格納器に格納され、
前記移送手段は、前記係合用凹部と係合可能な係合用爪部を有し、
前記本体部は、底壁と、当該底壁から起立する側壁とを有し、前記底壁は、前記側壁よりも前記ドライブ部の側に突出する突出部を有し、
前記トレーの係合用凹部は、当該トレーに受容される記録媒体の格納状態において前記突出部上に位置し、
前記蓋体部は、前記出入口の閉状態において前記係合用凹部に対向して前記本体部の側方を閉塞するための側壁を有する、請求項６に記載の記録媒体ライブラリ装置。
【請求項８】
前記トレーは、当該トレーに受容される記録媒体の格納状態において前記突出部上に位置する部位を少なくとも含む第１肉厚部と、当該トレーに受容される記録媒体の移送完了状態において前記突出部上に位置する部位を少なくとも含む第２肉厚部とを有する、請求項３から５および７のいずれか一つに記載の記録媒体ライブラリ装置。
【発明の詳細な説明】
【技術分野】
【０００１】
本発明は、複数の記録媒体を備えて大量のデータの保管などに利用することのできる記録媒体ライブラリ装置に関する。
【背景技術】
【０００２】
大量のデータの保管などに利用することのできる記憶装置として、いわゆるライブラリ装置が知られている。ライブラリ装置は、複数の記録媒体を備え、当該複数の記録媒体について選択的に情報記録や情報再生を実行するものである。ライブラリ装置の技術分野においては、大容量化に対する要求や、記録データへのアクセスの高速化に対する要求が高まっており、これらの要求に応えるべく、記録媒体として光ディスク媒体を利用する光ディスクライブラリ装置の開発が進められている。
【０００３】
光ディスクライブラリ装置は、一般に、複数の光ディスク媒体と、当該光ディスク媒体を格納するための格納器と、光ディスク媒体について情報記録や情報再生を実行するためのドライブと、格納器およびドライブの間の光ディスク媒体の移送を実行するための移送機構とを備える。このような光ディスクライブラリ装置については、例えば下記の特許文献１や特許文献２に記載されている。
【０００４】
【特許文献１】特開平１１−１２０６６８号公報
【特許文献２】特開２００１−６２５８号公報
【０００５】
光ディスクライブラリ装置としては、光ディスク媒体ごとにトレーに受容された状態で各媒体が格納器内に保持され且つ格納器とドライブの間を移送されるタイプ（トレータイプ）や、光ディスク媒体ごとにカートリッジに収容された状態で各カートリッジ媒体が格納器内に保持され且つ格納器とドライブの間を移送されるタイプ（カートリッジタイプ）のものが存在する。また、従来の光ディスクライブラリ装置の格納器には、媒体の出入口である開口部が設けられ、格納器の媒体格納スペースは、少なくとも当該開口部を介して常に開放状態にある。
【０００６】
従来のトレータイプの光ディスクライブラリ装置では、トレーに受容されている光ディスク媒体はトレー上で裸出し且つ格納器自体に防塵対策が施されていないため、光ディスク媒体を格納する格納器を交換する際に光ディスク媒体自体に塵埃が付着しやすい。光ディスク媒体の記録密度が比較的小さい（即ち記録マークサイズが比較的大きい）場合、媒体の記録面への塵埃の付着は、当該媒体の記録再生において実用上問題はないが、光ディスク媒体の高記録密度化（即ち記録マークサイズが微小化）に伴い、記録面に付着する塵埃が媒体の記録再生特性に及ぼす影響は相対的に大きくなる。そのため、従来のトレータイプの光ディスクライブラリ装置によると、媒体記録面への塵埃付着に起因して、高記録密度の光ディスク媒体について適切に情報記録や情報再生を実行することができない場合がある。
【０００７】
一方、カートリッジタイプの光ディスクライブラリ装置では、装置の内外において個々の光ディスク媒体はカートリッジにより防塵されるが、カートリッジの占有体積は光ディスク媒体自体のそれよりも大きいので、格納器内の所定スペースに格納できる光ディスク媒体の数は、トレータイプの光ディスクライブラリ装置よりも少ない。すなわち、カートリッジタイプの光ディスクライブラリ装置は、大容量化を図るうえで好ましくない。
【発明の開示】
【発明が解決しようとする課題】
【０００８】
本発明は、このような事情の下で考え出されたものであって、記録媒体の防塵性に優れ且つ大容量化を図るのに適した記録媒体ライブラリ装置を提供することを、目的とする。
【課題を解決するための手段】
【０００９】
本発明により提供される記録媒体ライブラリ装置は、情報記録および／または情報再生の実行時に回転動作を伴う複数の記録媒体と、複数の記録媒体を格納するための格納器と、記録媒体について情報記録および／または情報再生を実行するためのドライブ部と、格納器およびドライブ部の間の記録媒体の移送を実行するための移送手段と、格納器、ドライブ部、および移送手段を収容するための装置筐体と、を備える。格納器は、複数の記録媒体を保持するための本体部と、ドライブ部の側に開口して記録媒体の出し入れを可能にする当該格納器の出入口を開閉するための蓋体部とを有する。この蓋体部は、装置筐体内で出入口を開閉する。
【００１０】
本発明における蓋体部は、装置筐体外では格納器の出入口を閉状態に維持し（即ち装置筐体外で防塵機能を発揮し）、装置筐体内で格納器の出入口を開閉する。一方、装置筐体は、記録媒体について情報記録や情報再生を適切に行うべく、防塵対策が施されている。具体的には、装置筐体は、記録媒体ライブラリ装置の稼動時において、その内部空間が実質的に閉塞空間となるように構成されている。したがって、本発明に係る記録媒体ライブラリ装置においては、記録媒体は装置筐体の内外を通じて実質的に閉塞された空間内に存在することになり、塵埃が記録媒体に付着しにくい。このように、本ライブラリ装置は、記録媒体の防塵性に優れる。
【００１１】
また、本ライブラリ装置においては、上述のように格納器自体が装置筐体外での防塵機能を有するため、格納器に格納される記録媒体に対して個別の防塵対策を施す必要はない。具体的には、本ライブラリ装置においては、記録媒体よりも大きな占有体積を有するカートリッジに各記録媒体を個別に収納する必要がない。本ライブラリ装置では、例えば、記録媒体ごとにトレーに受容した状態で各媒体を格納器内に保持し且つ格納器とドライブ部の間を移送する。このようなライブラリ装置は、大容量化を図るのに適している。
【００１２】
以上のように、本発明の記録媒体ライブラリ装置は、記録媒体の防塵性に優れ且つ情報記録の大容量化を図るのに適しているのである。
【００１３】
本発明の第１の好ましい実施の形態においては、複数の記録媒体は、当該記録媒体の厚さ方向に並列し且つ移送手段による移送のときに当該記録媒体の面内方向に変位して出入口を通過するように、本体部に保持され、蓋体部は、蓋体部本体および開閉板を有し、この開閉板は、出入口を開閉すべく、記録媒体の厚さ方向に配向する閉姿勢と記録媒体の面内方向に配向する開姿勢との間で蓋体部本体に対して回動可能である。開閉板について、記録媒体の厚さ方向に配向する閉姿勢とは、開閉板の面内方向（広がり方向）が記録媒体の厚さ方向に沿って当該開閉板が格納器の出入口を閉じる（格納器内を閉塞空間とする）姿勢である。開閉板について、記録媒体の面内方向に配向する開姿勢とは、開閉板の面内方向が記録媒体の面内方向に沿って当該開閉板が格納器の出入口を開く姿勢である。このような構成によると、格納器について装置筐体外での防塵機能を確保しつつ格納器の出入口を装置筐体内で適切に開閉することができる。
【００１４】
好ましくは、開閉板は、開姿勢で格納器内に収容される。このような構成は、格納器の出入口の開放時における当該格納器のコンパクト化を図るうえで好適である。
【００１５】
好ましくは、記録媒体ライブラリ装置は、各々が係合用凹部を有する複数のトレーを更に備え、複数の記録媒体の各々はトレーに受容された状態で格納器に格納され、移送手段は、係合用凹部と係合可能な係合用爪部を有し、格納器の本体部は、底壁と、当該底壁から起立する側壁とを有し、この底壁は、側壁よりもドライブ部の側に突出する突出部を有し、トレーの係合用凹部は、当該トレーに受容される記録媒体の格納状態において突出部上に位置し、格納器の蓋体部本体は、出入口の閉状態において係合用凹部に対向して格納器本体部の側方を閉塞するための側壁を有し、格納器の本体部に対して面内方向にスライド可能である。蓋体部本体の側壁について、格納器本体部の側方を閉塞するとは、蓋体部本体の側壁が、本体部の側壁と協働して格納器内を閉塞空間とすべく本体部の側方を閉ざすことをいう。このような構成は、装置内において、記録媒体を受容するトレーをその係合用凹部に作用してハンドリングするうえで好適である。
【００１６】
好ましくは、本体部は、出入口とは反対の側に背壁を有し、トレーは、出入口の閉状態において、閉姿勢にある開閉板と背壁との間に挟持される。このような構成によると、例えば記録媒体ライブラリ装置から格納器を取り出したときのように、格納器の出入口が閉状態（格納器の開閉板が閉姿勢の状態）において、格納器に格納された状態にある各トレーが揺動するのを防止するうえで好適である。
【００１７】
好ましくは、トレーは、出入口の側に突出する第１突出部と、背壁の側に突出する第２突出部とを更に有し、開閉板は、出入口の閉状態において第１突出部と当接するための弾性部を有し、背壁は、出入口の閉状態において第２突出部と当接するための弾性部を有する。このような構成によると、閉姿勢にある開閉板と背壁との間におけるトレーの挟持が開閉板および背壁とトレーとの間に弾性部を介して行われるので、当該挟持によりトレーに加わる衝撃を緩和するうえで好適である。
【００１８】
本発明の第２の好ましい実施の形態においては、複数の記録媒体は、当該記録媒体の厚さ方向に並列し且つ移送手段による移送のときに当該記録媒体の面内方向に変位して出入口を通過するように、本体部に保持され、蓋体部は、本体部に対して厚さ方向に相対移動することにより、出入口を開閉する。このような構成によると、格納器について装置筐体外での防塵機能を確保しつつ格納器の出入口を装置筐体内で適切に開閉することができる。
【００１９】
好ましくは、記録媒体ライブラリ装置は、各々が係合用凹部を有する複数のトレーを更に備え、複数の記録媒体の各々はトレーに受容された状態で格納器に格納され、移送手段は、係合用凹部と係合可能な係合用爪部を有し、格納器の本体部は、底壁と、当該底壁から起立する側壁とを有し、この底壁は、側壁よりもドライブ部の側に突出する突出部を有し、トレーの係合用凹部は、当該トレーに受容される記録媒体の格納状態において突出部上に位置し、格納器の蓋体部は、出入口の閉状態において係合用凹部に対向して格納器本体部の側方を閉塞するための側壁を有する。蓋体部の側壁について、格納器本体部の側方を閉塞するとは、蓋体部の側壁が、本体部の側壁と協働して格納器内を閉塞空間とすべく本体部の側方を閉ざすことをいう。このような構成は、装置内において、記録媒体を受容するトレーをその係合用凹部に作用してハンドリングするうえで好適である。
【００２０】
好ましくは、トレーは、当該トレーに受容される記録媒体の格納状態において突出部上に位置する部位を少なくとも含む第１肉厚部と、当該トレーに受容される記録媒体の移送完了状態において突出部上に位置する部位を少なくとも含む第２肉厚部とを有する。移送完了状態とは、移送手段による格納器からドライブ部への記録媒体の移送が完了した状態をいう。このような構成によると、記録媒体の防塵性を高めることができ、情報記録の大容量化を図るうえで好適である。
【発明を実施するための最良の形態】
【００２１】
図１は、本発明に係る記録媒体ライブラリ装置の第１の実施形態であるライブラリ装置Ｘ１を表す。ライブラリ装置Ｘ１は、複数の光ディスク媒体１０と、複数のトレー２０と、格納器３０と、ドライブ部４０と、移送機構５０と、装置筐体６０と、を備える。
【００２２】
光ディスク媒体１０は、ディスク状の媒体であり、情報の記録機能を担う。光ディスク媒体１０としては、相変化媒体（ＣＤ−ＲＷ，ＤＶＤ＋ＲＷ，ＤＶＤ−ＲＷ，ＤＶＤ−ＲＡＭ）、光磁気記録媒体（ＭＯ，ＭＤ）、色素媒体（ＣＤ−Ｒ，ＤＶＤ＋Ｒ，ＤＶＤ−Ｒ）などが挙げられる。また、光ディスク媒体１０は、トレー２０に受容された状態で格納器３０に格納される。図２の（ａ）は、光ディスク媒体１０がトレー２０に受容された状態における上面図であり、（ｂ）はトレー２０の上面図であり、（ｃ）は、光ディスク媒体１０がトレー２０に受容された状態における下面図である。
【００２３】
トレー２０は、受容スペース２１、支持部２２、および係合用凹部２３を有する。受容スペース２１は、光ディスク媒体１０を受容するためのものであり、トレー２０における上面側への開口形状は円形である。支持部２２は、受容スペース２１内にて光ディスク媒体１０に当接して当該光ディスク媒体１０を直接的に支持するための部位である。係合用凹部２３は、トレー２０のハンドリングにおいて機能する部位であり、本実施形態ではトレー２０の縁部に１つ形成されているが、その形成箇所および数については必要に応じて変更することができる。このようなトレー２０において、光ディスク媒体１０は、その全体が受容スペース２１に収まるように受容される。
【００２４】
図３〜図５は、複数の光ディスク媒体１０が格納されている格納器３０を表す。図３は格納器３０の閉状態を、図４および図５は格納器３０の開状態を表す。格納器３０は、各々がトレー２０に受容された複数の光ディスク媒体１０を格納するためのものであり、本体部３１および蓋体部３２を有する。
【００２５】
本体部３１は、各々がトレー２０に受容された複数の光ディスク媒体１０を保持するための部位であって直接的にはトレー２０に当接してこれを支持し、底壁３１１および側壁３１２を有する。底壁３１１は、図３〜図５に加えて図１を参照するとよく理解できるように、装置内で側壁３１２よりもドライブ部４０の側に突出する突出部３１１ａを有する。側壁３１２は、底壁３１１上に起立するように設けられている。複数の光ディスク媒体１０は、トレー２０と共に、光ディスク媒体１０の厚さ方向（矢印ＡＢ方向）に並列するように本体部３１に保持されて格納器３０内に格納されている。トレー２０が格納器３０内に適切に格納されている状態では、トレー２０の係合用凹部２３は、図３および図５に示すように突出部３１１ａ上に位置する。
【００２６】
蓋体部３２は、図４および図５に示すように格納器３０の出入口３０ａを開閉するための部位であり、蓋体部本体３２１および開閉板３２２を有する。出入口３０ａは、ドライブ部４０（図１参照）の側に開口して光ディスク媒体１０の出し入れを可能にするための開口である。
【００２７】
蓋体部本体３２１は、側壁３２１ａを有し、その内部には収容部３２３が設けられている。また、蓋体部本体３２１は、本体部３１に対して矢印ＣＤ方向にスライド可能に取り付けられている。側壁３２１ａは、出入口３０ａの閉状態（格納器３０内が閉塞状態）において、図３に示すように、トレー２０の係合用凹部２３に対向し、且つ、本体部３１の側壁３１２と協働して格納器３０内を閉塞空間とすべく本体部３１の側方を閉ざす。
【００２８】
開閉板３２２は、図３に示すような閉姿勢と図４に示すような開姿勢との間で蓋体部本体３２１に対して回動可能に設けられている。閉姿勢とは、図３に示すように、開閉板３２２の面内方向が光ディスク媒体１０の厚さ方向（矢印ＡＢ方向）に対して略平行となるように、開閉板３２２が配向する姿勢である。開閉板３２２がこのような閉姿勢をとるときに、格納器３０ないしその出入口３０ａは閉状態となる。開姿勢とは、図４に示すように、開閉板３２２の面内方向が光ディスク媒体１０の面内方向（例えば矢印ＣＤ方向）に対して略平行となるように、開閉板３２２が配向する姿勢である。開閉板３２２がこのような開姿勢をとるときに、格納器３０ないしその出入口３０ａは開状態となる。収容部３２３は、開姿勢の状態にある開閉板３２２を図５に示すように格納器３０内に収容するための部位であり、蓋体部本体３２１内の収容空間である。
【００２９】
ドライブ部４０は、光ディスク媒体１０について情報記録および／または情報再生を実行するための部位であり、図１に示すように、スピンドルモータ４１と、光ヘッド４２と、アクチュエータ４３とを備える。これらに加えて、ドライブ部４０は、光ディスク媒体１０の媒体種類に応じて、当該媒体を記録および／または再生するための構成を具備する。ドライブ部４０の動作は、図外の制御部により制御される。
【００３０】
移送機構５０は、格納器３０およびドライブ部４０の間の光ディスク媒体１０の移送を実行するためのものであり、アーム５１と、爪付きヘッド５２と、ガイド溝５３（光ディスク媒体１０の移送方向である矢印ＣＤ方向に延びる）とを備える。アーム５１は、その一端部５１ａが揺動可能に軸支されており、他端部５１ｂは爪付きヘッド５２に連結されている。アーム５１の揺動動作は、図外の制御部により制御される図外の駆動機構により実現される。爪付きヘッド５２は、爪部５２１と、矢印ＥＦ方向に延びるガイド溝５２２とを有しており、矢印ＣＤ方向に延びるガイド溝５３に対し、当該ガイド溝５３に沿ってスライド可能に取り付けられている。爪部５２１は、トレー２０の係合用凹部２３に係合可能な形状を有している。ガイド溝５２２には、アーム５１の他端部５１ｂが矢印ＥＦ方向にスライド可能に取り付けられている。
【００３１】
装置筐体６０は、各々が光ディスク媒体１０を受容する複数のトレー２０を格納する格納器３０と、ドライブ部４０と、移送機構５０とを収容するためのものであり、その内部に対して格納器３０が挿脱可能に構成されている。また、装置筐体６０内の所定箇所には当接部６１（図１では省略）が設けられている。当接部６１は、格納器３０の装置筐体６０内への設置動作時において格納器３０の蓋体部３２に当接することによって格納器３０の開状態を達成するように機能する部位である。なお、装置筐体６０には、外部接続用の所定の端子などが必要に応じて付設されている。
【００３２】
本ライブラリ装置Ｘ１においては、上述のドライブ部４０は移送機構５０に対して矢印ＡＢ方向に相対移動するように設けられている。また、本ライブラリ装置Ｘ１は、格納器３０を所望の高さ位置へと昇降するための昇降機構（図示略）を装置筐体６０内に更に備える。
【００３３】
図６は、ライブラリ装置Ｘ１の装置筐体６０内に格納器３０を設置する際の動作を表す。設置動作においては、まず、図６（ａ）に示すように、格納器３０の蓋体部３２の全体が装置筐体６０内に位置するまで格納器３０を挿入した後、閉姿勢にある開閉板３２２を回動して開姿勢とする。開閉板３２２の閉姿勢から開姿勢への回動は、所定の機構により実現される。
【００３４】
次に、図６（ｂ）に示すように、開姿勢にある開閉板３２２の先端が当接部６１に当接するまで、更に格納器３０を装置筐体６０内に挿入する。
【００３５】
次に、図６（ｃ）に示すように、開姿勢にある開閉板３２２を当接部６１に当接させた状態で更に格納器３０を装置筐体６０内に挿入することにより、開閉板３２２を蓋体部本体３２１内ないし収容部３２３内に押し込むようにして収容する。格納器３０の開状態において開閉板３２２が収容部３２３に収容されるこのような構成は、装置のコンパクト化を図るのに資する。
【００３６】
次に、図６（ｄ）に示すように、開閉板３２２を収容部３２３に収容した状態で更に格納器３０を装置筐体６０内に挿入することにより、蓋体部３２を矢印Ｃ方向にスライドさせる。これにより、格納器３０内のトレー２０の係合用凹部２３は格納器３０外に露出し、移送機構５０の爪付きヘッド５２の爪部５２１が係合用凹部２３に対して係合可能な状態となる。
【００３７】
ライブラリ装置Ｘ１の装置筐体６０内から格納器３０を取り出す際には、蓋体部３２（蓋体部本体３２１，開閉板３２２）は、上述の動作とは逆に動作し、これにより格納器３０ないしその出入口３０ａは閉じられる。このように、本実施形態においては、格納器３０の設置および取り出しの際に格納器３０ないし出入口３０ａは自動的に開閉するように構成されている。
【００３８】
図７は、ライブラリ装置Ｘ１の稼動時における格納器３０からドライブ部４０への光ディスク媒体１０の移送動作を表す。本移送動作においては、まず、図７（ａ）に示すように移送機構５０が未だ動作を開始していない状態において、上述の昇降機構の作動により、格納器３０の高さ位置を調節する。このときの格納器３０の高さ位置は、当該格納器３０内にある移送目的の光ディスク媒体１０ないしこれを受容するトレー２０の高さ位置と、移送機構５０における爪付きヘッド５２の爪部５２１の高さ位置とに応じて、決定する。具体的には、目的のトレー２０と、当該トレー２０と隣り合う（直上または直下で隣り合う）他のトレー２０との間の高さ位置を、爪部５２１の高さ位置に合わせる。
【００３９】
次に、図７（ｂ）に示すようにアーム５１の揺動によりガイド溝５３に沿って爪付きヘッド５２を矢印Ｃ方向に移動させた後、昇降機構の作動により格納器３０の高さ位置を上または下に所定長さ変更し、爪付きヘッド５２の爪部５２１を目的のトレー２０の係合用凹部２３に係合させる。
【００４０】
次に、図７（ｃ）に示すように、爪付きヘッド５２の爪部５２１を係合用凹部２３に係合させた状態で、アーム５１の揺動によりガイド溝５３に沿って爪付きヘッド５２を矢印Ｄ方向に移動させる。この後、移送機構５０に対してドライブ部４０を矢印Ａ方向（図１参照）に相対移動させ、格納器３０から引き出した光ディスク媒体１０をスピンドルモータ４１により持ち上げてトレー２０から離す（トレー２０による光ディスク媒体１０の受容状態を解除する）。このスピンドルモータ４１による光ディスク媒体１０の持ち上げ高さは、当該光ディスク媒体１０を受容するトレー２０と当該トレー２０の上方において隣り合うトレー２０との間に光ディスク媒体１０が位置するように調整される。以上のようにして、格納器３０からドライブ部４０（スピンドルモータ４１）へのトレー２０の移送動作が実行される。ライブラリ装置Ｘ１においては、複数の光ディスク媒体１０から選択される特定の光ディスク媒体１０についてドライブ部４０で情報記録または情報再生する前に、このような移送動作が行われる。
【００４１】
ライブラリ装置Ｘ１の稼動時におけるドライブ部４０から格納器３０への光ディスク媒体１０の移送動作については、上述の移送動作を略逆に行う。ライブラリ装置Ｘ１においては、複数の光ディスク媒体１０から選択される特定の光ディスク媒体１０についてドライブ部４０で情報記録または情報再生した後に、このような移送動作が行われる。
【００４２】
ライブラリ装置Ｘ１においては、格納器３０の蓋体部３２は、装置筐体６０外では格納器３０の出入口３０ａを閉状態に維持し（即ち装置筐体６０外で防塵機能を発揮し）、装置筐体６０内でのみ格納器３０の出入口３０ａを自動的に開閉する。加えて、装置筐体６０は、ライブラリ装置Ｘ１の稼動時においてその内部空間が実質的に閉塞空間となるように構成されている。したがって、ライブラリ装置Ｘ１においては、光ディスク媒体１０は装置筐体６０の内外を通じて実質的に閉塞された空間内に存在することになり、塵埃が光ディスク媒体１０に付着しにくい。このように、本ライブラリ装置Ｘ１は、光ディスク媒体１０の防塵性に優れる。
【００４３】
また、ライブラリ装置Ｘ１は、上述のように格納器３０自体が防塵性に優れているため、格納器３０に格納される光ディスク媒体１０に対して個別の防塵対策を施す必要はない。具体的には、ライブラリ装置Ｘ１においては、光ディスク媒体１０やトレー２０よりも大きな占有体積を有するカートリッジに各光ディスク媒体１０を個別に収納する必要がない。このようなライブラリ装置は、大容量化を図るのに適している。
【００４４】
図８は、本発明に係る記録媒体ライブラリ装置の第２の実施形態であるライブラリ装置Ｘ２を表す。ライブラリ装置Ｘ２は、複数の光ディスク媒体１０と、複数のトレー２０と、格納器７０と、ドライブ部４０と、移送機構５０と、装置筐体６０と、を備える。ライブラリ装置Ｘ２は、格納器３０に代えて格納器７０を具備する点において、ライブラリ装置Ｘ１と相違する。
【００４５】
図９および図１０は、複数の光ディスク媒体１０が格納されている格納器７０を表す。図９は格納器７０の閉状態を、図１０は格納器７０の開状態を表す。格納器７０は、各々がトレー２０に受容された複数の光ディスク媒体１０を格納するためのものであり、本体部７１および蓋体部７２を有する。
【００４６】
本体部７１は、各々がトレー２０に受容された複数の光ディスク媒体１０を保持するための部位であって直接的にはトレー２０に当接してこれを支持し、底壁７１１および側壁７１２を有する。底壁７１１は、図９および図１０に加えて図８を参照するとよく理解できるように、装置内で側壁７１２よりもドライブ部４０の側に突出する突出部７１１ａを有する。複数の光ディスク媒体１０は、トレー２０と共に、光ディスク媒体１０の厚さ方向（矢印ＡＢ方向）に並列するように本体部７１に保持されて格納器７０内に格納されている。トレー２０が格納器内に適切に格納されている状態では、トレー２０の係合用凹部２３は、突出部７１１ａ上に位置する。一方、側壁７１２は、底壁７１１上に起立するように設けられている。また、側壁７１２における蓋体部７２に対向する一対の壁面には、矢印ＡＢ方向に延びる合計４つのガイド溝７１３が設けられている（図８では、一壁面の２つガイド溝７１３のみを表す）。ガイド溝７１３の形成箇所や数については必要に応じて変更することができる。
【００４７】
蓋体部７２は、格納器７０の出入口７０ａを開閉するための部位であり、側壁７２１およびガイドピン７２２を有する。出入口７０ａは、ドライブ部４０（図８参照）の側に開口して光ディスク媒体１０の出し入れを可能にするための開口である。側壁７２１は、出入口７０ａの閉状態（格納器７０内が閉塞状態）において、図９に示すように、トレー２０の係合用凹部２３に対向し、且つ、本体部７１の側壁７１２と協働して格納器７０内を閉塞空間とすべく本体部７１の側方を閉ざす。ガイドピン７２２は、本体部７１と蓋体部７２を連結し且つ本体部７１のガイド溝７１３と協働して本体部７１および蓋体部７２の相対動作方向を規定するためのものである。
【００４８】
本ライブラリ装置Ｘ２は、格納器７０を所望の高さ位置へと昇降するための昇降機構（図示略）を装置筐体内６０に更に備える。この昇降機構の作動により、蓋体部７２に対して本体部７１をガイド溝７１３に沿って相対変位させることができ、従って、装置筐体６０内において、図９および図１０に示すように格納器７０ないしその出入口７０ａの開閉を行うことができる。
【００４９】
図１１は、ライブラリ装置Ｘ２の装置筐体６０内における格納器７０の開閉動作を表す。格納器７０の開動作においては、まず、図１１（ａ）に示すように、格納器７０の全体を装置筐体６０内に挿入した後、蓋体部７２を装置筐体６０に固定するとともに、蓋体部７２に対して本体部７１をガイド溝７１３に沿って相対移動可能な状態とする。蓋体部７２の固定方法については、公知の方法を任意に採用すればよい。
【００５０】
次に、図１１の（ｂ）や（ｃ）に示すように、昇降機構の作動により蓋体部７２に対して本体部７１を矢印Ｂ方向に相対移動させ、格納器７０ないしその出入口７０ａを開く。これにより、格納器７０内のトレー２０の係合用凹部２３は格納器７０外に露出し、移送機構５０の爪付きヘッド５２の爪部５２１が係合用凹部２３に対して係合可能な状態となる。図１１の（ｂ）と（ｃ）とでは、本体部７１の高さ位置が異なるところ、本体部７１の高さ位置は、移送目的の光ディスク媒体１０ないしそれを受容するトレー２０がいずれであるかに応じて、昇降機構により調節される。また、昇降機構の作動により本体部７１の高さ位置を初期位置に戻すことにより、格納器７０ないし出入口７０ａを閉じることができる。
【００５１】
ライブラリ装置Ｘ２の稼動時における格納器７０からドライブ部４０への光ディスク媒体１０の移送動作、並びに、ドライブ部４０から格納器７０への光ディスク媒体１０の移送動作については、ライブラリ装置Ｘ１の稼動時における光ディスク媒体１０の各移送動作と同様である。
【００５２】
ライブラリ装置Ｘ２においては、格納器７０の蓋体部７２は、装置筐体６０外では格納器７０の出入口７０ａを閉状態に維持し（即ち装置筐体６０外で防塵機能を発揮し）、装置筐体６０内でのみ格納器７０の出入口７０ａを開閉する。加えて、装置筐体６０は、ライブラリ装置Ｘ２の稼動時においてその内部空間が実質的に閉塞空間となるように構成されている。したがって、ライブラリ装置Ｘ２においては、光ディスク媒体１０は装置筐体６０の内外を通じて実質的に閉塞された空間内に存在することになり、塵埃が光ディスク１０に付着しにくい。このように、本ライブラリ装置Ｘ２は、光ディスク媒体１０の防塵性に優れる。
【００５３】
また、ライブラリ装置Ｘ２は、上述のように格納器７０自体が防塵性に優れているため、格納器７０に格納される光ディスク媒体１０に対して個別の防塵対策（例えばカートリッジに収納する）を施す必要はない。具体的には、ライブラリ装置Ｘ２においては、光ディスク媒体１０やトレー２０よりも大きな占有体積を有するカートリッジに各光ディスク媒体１０を個別に収納する必要がない。このようなライブラリ装置は、大容量化を図るのに適している。
【００５４】
図１２は、本発明に係る記録媒体ライブラリ装置の第３の実施形態であるライブラリ装置Ｘ３を表す。ライブラリ装置Ｘ３は、複数の光ディスク媒体１０と、複数のトレー２０’と、格納器３０と、ドライブ部４０と、移送機構５０と、装置筐体６０と、を備える。ライブラリ装置Ｘ３は、トレー２０に代えてトレー２０’を具備する点において、ライブラリ装置Ｘ１と相違する。
【００５５】
図１３の（ａ）は、光ディスク媒体１０がトレー２０’に受容された状態における上面図であり、（ｂ）はトレー２０’の上面図であり、（ｃ）は、光ディスク媒体１０がトレー２０’に受容された状態における下面図である。図１４は、光ディスク媒体１０がトレー２０’に受容された状態における側面図である。トレー２０’は、受容スペース２１、支持部２２、係合用凹部２３、および肉厚部２４，２５を有する。肉厚部２４，２５は、複数のトレー２０’を格納器３０’に格納した状態において各トレー２０’間に生じる隙間を小さくする（実質的に無くす）ための部位である。このようなトレー２０’において、光ディスク媒体１０は、その全体が受容スペース２１に収まるように受容される。
【００５６】
本ライブラリ装置Ｘ３の装置筐体６０内に格納器３０を設置する際の動作、並びに、ライブラリ装置Ｘ３の稼動時における格納器３０およびドライブ部４０間の光ディスク媒体１０の移送動作は、第１の実施形態に示すのと同様である。
【００５７】
図１５（ａ）は、各々がトレー２０’に受容された複数の光ディスク媒体１０（図１４参照）の移送動作開始前における格納器３０の断面を表す。このように移送動作開始前においては、複数のトレー２０’の各肉厚部２４がその厚さ方向（矢印ＡＢ方向）において互いに重なり合うように構成される。図１５（ｂ）は、各々がトレー２０’に受容された複数の光ディスク媒体１０（図１４参照）のうち移送対象の光ディスク媒体１０の移送動作完了後における格納器３０の断面を表す。このように移送動作完了後においては、移送対象外のトレー２０’の各肉厚部２４と移送完了状態（格納器３０’からドライブ部４０（図７（ｃ）参照）に移送された状態）にあるトレー２０’の肉厚部２５とがその厚さ方向（矢印ＡＢ方向）において互いに重なり合うように構成される。すなわち、本ライブラリ装置Ｘ３は、格納器３０の閉状態においてはもとより開状態においても、各トレー２０’の肉厚部２４，２５および格納器３０の本体部３１が協働することにより各トレー２０’間に生じる空間が実質的に閉塞空間となるように構成される。したがって、本ライブラリ装置Ｘ３においては、光ディスク媒体１０は格納器３０の開閉状態を通じて実質的に閉塞された空間内に存在することになり、塵埃が光ディスク媒体１０に付着しにくい。このように、本ライブラリ装置Ｘ３は、光ディスク媒体１０の防塵性に優れる。
【００５８】
図１６は、本発明に係る記録媒体ライブラリ装置の第４の実施形態であるライブラリ装置Ｘ４を表す。ライブラリ装置Ｘ４は、複数の光ディスク媒体１０と、複数のトレー２０’と、格納器７０と、ドライブ部４０と、移送機構５０と、装置筐体６０と、を備える。ライブラリ装置Ｘ４は、トレー２０に代えてトレー２０’を具備する点において、ライブラリ装置Ｘ２と相違する。
【００５９】
本ライブラリ装置Ｘ４の装置筐体６０内に格納器７０を設置する際の動作、並びに、ライブラリ装置Ｘ４の稼動時における格納器７０およびドライブ部４０間の光ディスク媒体１０の移送動作は、第２の実施形態に示すのと同様である。
【００６０】
また、本ライブラリ措置Ｘ４において各々がトレー２０’に受容された複数の光ディスク媒体１０（図１４参照）の移送動作開始前および移送動作完了後におけるトレー２０’の状態は、第３の実施形態に示すのと同様である。すなわち、本ライブラリ装置Ｘ４は、格納器７０の閉状態においてはもとより開状態においても、各トレー２０’の肉厚部２４，２５および格納器７０の本体部７１が協働することにより各トレー２０’間に生じる空間が実質的に閉塞空間となるように構成される。したがって、本ライブラリ装置Ｘ４においては、光ディスク媒体１０は格納器７０の開閉状態を通じて実質的に閉塞された空間内に存在することになり、塵埃が光ディスク媒体１０に付着しにくい。このように、本ライブラリ装置Ｘ４は、光ディスク媒体１０の防塵性に優れる。
【００６１】
図１７は、本発明に係る記録媒体ライブラリ装置の第５の実施形態であるライブラリ装置Ｘ５を表す。ライブラリ装置Ｘ５は、複数の光ディスク媒体１０と、複数のトレー２０”と、格納器３０’と、ドライブ部４０と、移送機構５０と、装置筐体６０と、を備える。ライブラリ装置Ｘ５は、トレー２０’に代えてトレー２０”並びに格納器３０に代えて格納器３０’を具備する点において、ライブラリ装置Ｘ３と相違する。
【００６２】
図１８の（ａ）は、光ディスク媒体１０がトレー２０”に受容された状態における上面図であり、（ｂ）はトレー２０”の上面図であり、（ｃ）は、光ディスク媒体１０がトレー２０”に受容された状態における下面図である。図１９は、光ディスク媒体１０がトレー２０”に受容された状態における側面図である。トレー２０”は、受容スペース２１、支持部２２、係合用凹部２３、肉厚部２４，２５、および突出部２６，２７を有する。突出部２６は、肉厚部２４から矢印Ｄ方向（格納器３０’の出入口３０ａ（図１７参照）の側）に突出するように構成された部位であり、突出部２７は、肉厚部２５から矢印Ｃ方向（格納器３０’の出入口３０ａと反対の側）に突出するように構成された部位である。本実施形態において突出部２６，２７は、トレー２０”を構成する材料によって一体成形することにより構成されるが、例えばバネやゴム、シリコンなどの弾性部材を取り付けることにより構成されてもよい。また、本実施形態において突出部２６，２７は、各トレー２０”の肉厚部２４に２つおよび各トレー２０”の肉厚部２５に２つの合計４つ形成されているが、その形成箇所や数などは必要に応じて任意に設定すればよい。
【００６３】
図２０は、各々がトレー２０”に受容された複数の光ディスク媒体１０（図１９参照）を格納する格納器３０’の部分断面図であり、（ａ）はライブラリ装置Ｘ５から取り出した状態（格納器３０’の出入口３０ａの閉状態）を、（ｂ）は光ディスク媒体１０の移送動作完了後の状態（格納器３０’の出入口３０ａの開状態）を表す。格納器３０’は、各々がトレー２０”に受容された複数の光ディスク媒体１０を積層状態で格納するためのものであり、本体部３１’および蓋体部３２’を有する。
【００６４】
本体部３１’は、各々がトレー２０”に受容された複数の光ディスク媒体１０を保持するための部位であって直接的にはトレー２０”に当接してこれを支持し、底壁３１１、側壁３１２（図１７参照）および背壁３１３を有する。背壁３１３は、図２０（ａ）によく表れているように、格納器３０’の出入口３０ａとは反対の側に底壁３１１上に起立するように設けられており、弾性部３１３ａを有する。弾性部３１３ａは、格納器３０’の出入口３０ａの閉状態においてトレー２０”の突出部２７と当接するための部位である。
【００６５】
蓋体部３２’は、格納器３０’の出入口３０ａを開閉するための部位であり、蓋体部本体３２１および開閉板３２２’を有する。開閉板３２２’は、図２０（ａ）に示すような閉姿勢と図２０（ｂ）に示すような開姿勢との間で蓋体部本体３２１に対して回動可能に設けられており、弾性部３２２ａを有する。弾性部３２２ａは、格納器３０’の出入口３０ａの閉状態においてトレー２０”の突出部２６と当接するための部位である。
【００６６】
格納器３０’の出入口３０ａの閉状態においては、図２０（ａ）に示すように、トレー２０”は閉姿勢にある開閉板３２２’の弾性部３２２ａがトレー２０”の突出部２６と当接し、且つ、背壁３１３の弾性部３１３ａがトレー２０”の突出部２７と当接することにより、トレー２０”が閉姿勢にある開閉板３２２’と背壁３１３との間に挟持される。本実施形態において弾性部３１３ａ，３２２ａは、開閉板３２２’が閉姿勢をとると、格納器３０’に格納された状態にある各トレー２０”の各突出部２６，２７がそれぞれ弾性部３１３ａ，３２２ａに食い込むように構成されているが、このような構成には限られない。例えば、弾性部３１３ａ，３２２ａは、開閉板３２２’が閉姿勢をとると、格納器３０’に格納された状態にある各トレー２０”の各突出部２６，２７がそれぞれ当該弾性部３１３ａ，３２２ａの所定箇所に予め形成された複数の凹部に嵌合するように構成してもよい。弾性部３１３ａ，３２２ａを構成する材料としては、例えばシリコンやゴムなどの弾性部材が挙げられる。
【００６７】
本ライブラリ装置Ｘ５の装置筐体６０内に格納器３０’を設置する際の動作、並びに、ライブラリ装置Ｘ５の稼動時における格納器３０’およびドライブ部４０間の光ディスク媒体１０の移送動作は、第１の実施形態に示すのと同様である。
【００６８】
また、本ライブラリ措置Ｘ５において各々がトレー２０”に受容された複数の光ディスク媒体１０（図１９参照）の移送動作開始前および移送動作完了後におけるトレー２０”の状態は、第３の実施形態に示すのと同様である。すなわち、本ライブラリ装置Ｘ５は、格納器３０’の閉状態においてはもとより開状態においても、各トレー２０”の肉厚部２４，２５および格納器３０’の本体部３１’が協働することにより各トレー２０”間に生じる空間が実質的に閉塞空間となるように構成される。したがって、本ライブラリ装置Ｘ５においては、光ディスク媒体１０は格納器３０’の開閉状態を通じて実質的に閉塞された空間内に存在することになり、塵埃が光ディスク媒体１０に付着しにくい。このように、本ライブラリ装置Ｘ５は、光ディスク媒体１０の防塵性に優れる。
【００６９】
ライブラリ装置Ｘ５においては、例えば当該ライブラリ装置Ｘ５から格納器３０’を取り外すと、図２０（ａ）に示すように、格納器３０’の開閉板３２２’が閉姿勢となる。このように、開閉板３２２’を閉姿勢とすると、格納器３０’の弾性部３１３ａ，３２２ａが各々のトレー２０”の突出部２６，２７に当接するため、各トレー２０”は、閉姿勢にある開閉板３２２’と背壁３１３との間に挟持される。つまり、ライブラリ装置Ｘ５においては、格納器３０’内に格納された状態にある各トレー２０”が当該格納器３０’内において揺動するのを防止することができる。したがって、ライブラリ装置Ｘ５においては、各トレー２０”と格納器３０’における各トレー２０”を直接的に支持するための部位とが擦れ合うことなどに起因して発生する塵埃（例えばトレー２０”の削れカス）の発生量を低減することができるので、塵埃が光ディスク媒体１０に付着しにくい。このように、本ライブラリ装置Ｘ５は、光ディスク媒体１０の防塵性に優れる。
【００７０】
ライブラリ装置Ｘ５においては、格納器３０’の開閉板３２２’におけるトレー２０”の突出部２６と当接する部位に弾性部３２２ａを有し、格納器３０’の背壁３１３におけるトレー２０”の突出部２７と当接する部位に弾性部３１３ａを有する。つまり、閉姿勢にある開閉板３２２’と背壁３１３との間におけるトレー２０”の挟持は、弾性部３１３ａ，３２２ａを介して行われる。そのため、ライブラリ装置Ｘ５においては、閉姿勢にある開閉板３２２’と背壁３１３との間にトレー２０”を挟持する際に当該トレー２０”に加わる衝撃を緩和することができる。したがって、ライブラリ装置Ｘ５においては、この衝撃などに起因して発生する塵埃（例えばトレー２０”の削れカス）の発生量を低減することができるので、塵埃が光ディスク媒体１０に付着しにくい。このように、本ライブラリ装置Ｘ５は、光ディスク媒体１０の防塵性に優れる。
【００７１】
以上、本発明の具体的な実施形態について説明したが、本発明はこれらに限定されるものではなく、発明の思想から逸脱しない範囲内で種々の変更が可能である。
【００７２】
上述のライブラリ装置Ｘ１においては、格納器３０の開動作は、当該格納器３０の蓋体部３２の全体を装置筐体６０内に挿入した段階で行っているが、格納器３０の全体を装置筐体６０内に挿入した後に行うように構成してもよい。
【００７３】
上述のライブラリ装置Ｘ２においては、蓋体部７２は、本体部７１の側壁７１２が設けられている部分を含めて全体を覆うように構成されているが、例えば図２１および図２２に示すように、出入口７０ａおよびその近傍を覆うように蓋体部７２を構成してもよい。
【００７４】
以上のまとめとして、本発明の構成およびそのバリエーションを以下に付記として列挙する。
【００７５】
（付記１）情報記録および／または情報再生の実行時に回転動作を伴う複数の記録媒体と、
前記複数の記録媒体を格納するための格納器と、
前記記録媒体について情報記録および／または情報再生を実行するためのドライブ部と、
前記格納器および前記ドライブ部の間の前記記録媒体の移送を実行するための移送手段と、
前記格納器、前記ドライブ部、および前記移送手段を収容するための装置筐体と、を備え、
前記格納器は、前記複数の記録媒体を保持するための本体部と、前記ドライブ部の側に開口して前記記録媒体の出し入れを可能にする当該格納器の出入口を開閉するための蓋体部とを有し、
前記蓋体部は、前記装置筐体内で前記出入口を開閉する、記録媒体ライブラリ装置。
（付記２）前記複数の記録媒体は、当該記録媒体の厚さ方向に並列し且つ前記移送手段による前記移送のときに当該記録媒体の面内方向に変位して前記出入口を通過するように、前記本体部に保持され、
前記蓋体部は、蓋体部本体および開閉板を有し、当該開閉板は、前記出入口を開閉すべく、前記厚さ方向に配向する閉姿勢と前記面内方向に配向する開姿勢との間で前記蓋体部本体に対して回動可能である、付記１に記載の記録媒体ライブラリ装置。
（付記３）前記回動板は、前記開姿勢で前記格納器内に収容される、付記２に記載の記録媒体ライブラリ装置。
（付記４）各々が係合用凹部を有する複数のトレーを更に備え、
前記複数の記録媒体の各々は前記トレーに受容された状態で前記格納器に格納され、
前記移送手段は、前記係合用凹部と係合可能な係合用爪部を有し、
前記本体部は、底壁と、当該底壁から起立する側壁とを有し、前記底壁は、前記側壁よりも前記ドライブ部の側に突出する突出部を有し、
前記トレーの係合用凹部は、当該トレーに受容される記録媒体の格納状態において前記突出部上に位置し、
前記蓋体部本体は、前記出入口の閉状態において前記係合用凹部に対向して前記本体部の側方を閉塞するための側壁を有し、前記本体部に対して前記面内方向にスライド可能である、付記２または３に記載の記録媒体ライブラリ装置。
（付記５）前記本体部は、前記出入口とは反対の側に背壁を有し、
前記トレーは、前記出入口の閉状態において、前記閉姿勢にある前記開閉板と前記背壁との間に挟持される、付記４に記載の記録媒体ライブラリ装置。
（付記６）前記トレーは、前記出入口の側に突出する第１突出部と、前記背壁の側に突出する第２突出部とを更に有し、
前記開閉板は、前記出入口の閉状態において前記第１突出部と当接するための弾性部を有し、
前記背壁は、前記出入口の閉状態において前記第２突出部と当接するための弾性部を有する、付記５に記載の記録媒体ライブラリ装置。
（付記７）前記複数の記録媒体は、当該記録媒体の厚さ方向に並列し且つ前記移送手段による前記移送のときに当該記録媒体の面内方向に変位して前記出入口を通過するように、前記本体部に保持され、
前記蓋体部は、前記本体部に対して前記厚さ方向に相対移動することにより、前記出入口を開閉する、付記１に記載の記録媒体ライブラリ装置。
（付記８）各々が係合用凹部を有する複数のトレーを更に備え、
前記複数の記録媒体の各々は前記トレーに受容された状態で前記格納器に格納され、
前記移送手段は、前記係合用凹部と係合可能な係合用爪部を有し、
前記本体部は、底壁と、当該底壁から起立する側壁とを有し、前記底壁は、前記側壁よりも前記ドライブ部の側に突出する突出部を有し、
前記トレーの係合用凹部は、当該トレーに受容される記録媒体の格納状態において前記突出部上に位置し、
前記蓋体部は、前記出入口の閉状態において前記係合用凹部に対向して前記本体部の側方を閉塞するための側壁を有する、付記７に記載の記録媒体ライブラリ装置。
（付記９）前記トレーは、当該トレーに受容される記録媒体の格納状態において前記突出部上に位置する部位を少なくとも含む第１肉厚部と、当該トレーに受容される記録媒体の移送完了状態において前記突出部上に位置する部位を少なくとも含む第２肉厚部とを有する、付記４から６および８のいずれか一つに記載の記録媒体ライブラリ装置。
【図面の簡単な説明】
【００７６】
【図１】本発明の第１の実施形態に係るライブラリ装置の斜視図である。
【図２】本発明の第１の実施形態に係るライブラリ装置における光ディスク媒体およびトレーを表す。（ａ）は、光ディスク媒体がトレーに受容された状態における上面図であり、（ｂ）はトレーの上面図であり、（ｃ）は、光ディスク媒体がトレーに受容された状態における下面図である。
【図３】第１の実施形態における格納器（閉状態）の斜視図である。
【図４】第１の実施形態における格納器（開状態）の斜視図である。
【図５】第１の実施形態における格納器（開状態）の斜視図である。
【図６】第１の実施形態のライブラリ装置における格納器の設置動作（開動作）を表す。
【図７】第１の実施形態のライブラリ装置における格納器からドライブ部への光ディスク媒体の移送動作を表す。
【図８】本発明の第２の実施形態に係るライブラリ装置の斜視図である。
【図９】第２の実施形態における格納器（閉状態）の斜視図である。
【図１０】第２の実施形態における格納器（開状態）の斜視図である。
【図１１】第２の実施形態のライブラリ装置における格納器の開動作を表す。
【図１２】本発明の第３の実施形態に係るライブラリ装置の斜視図である。
【図１３】第３の実施形態のライブラリ装置における光ディスク媒体およびトレーを表す。（ａ）は、光ディスク媒体がトレーに受容された状態における上面図であり、（ｂ）はトレーの上面図であり、（ｃ）は、光ディスク媒体がトレーに受容された状態における下面図である。
【図１４】図１３に示すトレーの側面図である。
【図１５】第３の実施形態における格納器の部分断面図である。（ａ）は、光ディスク媒体の移送動作開始前の状態を表し、（ｂ）は、光ディスク媒体の移送動作完了後の状態を表す。
【図１６】本発明の第４の実施形態に係るライブラリ装置の斜視図である。
【図１７】本発明の第５の実施形態に係るライブラリ装置の斜視図である。
【図１８】第５の実施形態のライブラリ装置における光ディスク媒体およびトレーを表す。（ａ）は、光ディスク媒体がトレーに受容された状態における上面図であり、（ｂ）はトレーの上面図であり、（ｃ）は、光ディスク媒体がトレーに受容された状態における下面図である。
【図１９】図１８に示すトレーの側面図である。
【図２０】第５の実施形態における格納器の部分断面図である。（ａ）は、ライブラリ装置から取り出した状態を表し、（ｂ）は、光ディスク媒体の移送動作完了後の状態を表す。
【図２１】第２の実施形態における格納器（閉状態）の変形例の斜視図である。
【図２２】第２の実施形態における格納器（開状態）の変形例の斜視図である。
【符号の説明】
【００７７】
Ｘ１，Ｘ２，Ｘ３，Ｘ４，Ｘ５      ライブラリ装置
１０      光ディスク媒体（記録媒体）
２０，２０’，２０”      トレー
２３      係合用凹部
３０，３０’，７０      格納器
３１，７１      本体部
３２，７２      蓋体部
４０      ドライブ部
５０      移送機構（移送手段）
６０      装置筐体
【図１】
2006120296.tif 000003
【図２】
2006120296.tif 000004
【図３】
2006120296.tif 000005
【図４】
2006120296.tif 000006
【図５】
2006120296.tif 000007
【図６】
2006120296.tif 000008
【図７】
2006120296.tif 000009
【図８】
2006120296.tif 000010
【図９】
2006120296.tif 000011
【図１０】
2006120296.tif 000012
【図１１】
2006120296.tif 000013
【図１２】
2006120296.tif 000014
【図１３】
2006120296.tif 000015
【図１４】
2006120296.tif 000016
【図１５】
2006120296.tif 000017
【図１６】
2006120296.tif 000018
【図１７】
2006120296.tif 000019
【図１８】
2006120296.tif 000020
【図１９】
2006120296.tif 000021
【図２０】
2006120296.tif 000022
【図２１】
2006120296.tif 000023
【図２２】
2006120296.tif 000024